(57)【要約】【課題】本発明は、放熱性能に優れた、ＬＥＤを用いた照明装置を提供する。【解決手段】本発明は、底面と内側面とを有するボディ、前記ボディの底面上に配置されて、少なくとも３個の反射面を有する多角錐形反射体、及び前記ボディの内側面上に配置され、少なくとも１つ以上の発光素子を有し、前記反射体の反射面と対応する領域に配置された光源部、を含む照明装置を提供する。【選択図】図２
2014222680.tif 000002
【特許請求の範囲】
【請求項１】
第１ボディと第２ボディとを含むボディと、
少なくとも一つ以上の反射面を含む反射体と、
前記反射体の前記反射面と対応するように配置され、第１光源部及び第２光源部を含む光源部と、を含み、
前記第１ボディは、第１底面と第１側面とを含み、
前記第２ボディは、第２底面と第２側面とを含み、
前記ボディは、前記第１底面、前記第２底面、前記第１側面、及び前記第２側面によって定められる収納溝を有し、
前記反射体は、前記収納溝に配置され、
前記第１光源部は、前記第１ボディの前記第１側面に配置され、
前記第２光源部は、前記第２ボディの前記第２側面に配置される、照明装置。
【請求項２】
前記第１ボディの前記第１側面は、前記第１光源部が配置される第１装着溝を有し、
前記第２ボディの前記第２側面は、前記第２光源部が配置される第２装着溝を有する、請求項１に記載の照明装置。
【請求項３】
前記第１光源部及び前記第２光源部のそれぞれは、基板、前記基板に配置された少なくとも一つ以上の発光素子、及び前記基板に配置されたコネクタを含み、
前記照明装置は、前記ボディと連結し、前記第１光源部及び前記第２光源部のコネクタと電気的に連結するパッドを含む連結基板をさらに含み、
前記連結基板は、前記反射体上に配置され、
前記連結基板は、前記発光素子から放出され、前記反射体から反射された光が通過する開口を有する、請求項１又は２に記載の照明装置。
【請求項４】
前記コネクタは、前記基板の外側方向に突出する突出部を含み、
前記連結基板が前記ボディと結合すると、前記突出部は前記連結基板の前記パッドと直接連結する、請求項３に記載の照明装置。
【請求項５】
前記第１光源部及び前記第２光源部のそれぞれは、基板、前記基板に配置された少なくとも一つ以上の発光素子、及び前記基板に配置されたコネクタを含み、
前記照明装置は、一端が前記第１光源部のコネクタと連結し、他端が前記第２光源部のコネクタに連結された連結基板を含み、
前記連結基板は、前記第１ボディの前記第１側面と前記第２ボディの前記第２側面とに配置される、請求項１又は２に記載の照明装置。
【請求項６】
前記連結基板は、絶縁物質によって取り囲まれ、
前記連結基板は、フレキシブル基板である、請求項５に記載の照明装置。
【請求項７】
前記第１光源部及び前記第２光源部のそれぞれは、基板、前記基板に配置された少なくとも一つ以上の発光素子、及び前記発光素子上に配置されたレンズを含み、
前記照明装置は、前記レンズを収納する結合溝を有し、前記反射体を取り囲み、前記収納溝に配置されたカバーをさらに含む、請求項１又は２に記載の照明装置。
【請求項８】
前記カバーの内側面は、前記レンズの発光面と同一平面上に配置される、請求項７に記載の照明装置。
【請求項９】
前記カバーは、
前記ボディの前記収納溝に挿入されて、前記結合溝を含む支持部と、
前記支持部の一端から前記収納溝の深さ方向と垂直な方向に延びて、前記ボディ上に配置されたカバー部と、
を含む、請求項７又は８に記載の照明装置。
【請求項１０】
前記カバーの開口に配置され、光を拡散又は励起する光学基板と、
前記光学基板上に配置され、前記光学基板を前記カバーに固定させ、前記ボディ方向に突出した締結部を含む光学基板ホルダと、をさらに含み、
前記カバーは、前記締結部が挿入される締結孔を有する、請求項７乃至９のいずれか１項に記載の照明装置。
【請求項１１】
前記第１光源部及び前記第２光源部のそれぞれは、前記レンズを取り囲むレンズホルダをさらに含み、
前記カバーの前記結合溝は、前記レンズホルダを収納する、請求項７乃至１０のいずれか１項に記載の照明装置。
【発明の詳細な説明】
【技術分野】
【０００１】
本発明は、照明装置に関するものである。
【背景技術】
【０００２】
ＬＥＤ（ｌｉｇｈｔ  ｅｍｉｔｔｉｎｇ  ｄｉｏｄｅ）は、電気エネルギを光エネルギ
に変換するエネルギ素子であって、白熱電球に比べて変換効率が高く、消費電力が少なく
、かつ寿命が長いという長所がある。このような長所が広く知られることによって、現在
ＬＥＤを用いた照明装置に対する関心が高まっている。そして、このような関心を反映し
て、照明分野の各会社はＬＥＤを用いた照明装置をリリースしている。
【０００３】
ＬＥＤを用いる照明装置は、大いに直接照明装置と間接照明装置とに分けられる。直接
照明装置は、ＬＥＤから放出された光の経路が変更されずに出射される照明装置を意味し
、間接照明装置は、ＬＥＤから放出された光の経路が反射手段などを介して変更されて出
射される装置を意味する。
【発明の概要】
【発明が解決しようとする課題】
【０００４】
そこで、本発明は、ＬＥＤを用いた間接照明装置を提供することができる。また、本発
明は、放熱性能に優れており、内部及び外部構造が簡単であり、組み立て及び作業が容易
である。また、本発明は、光効率が高く、ワイヤを必要としないことから、小型化が可能
である。
【課題を解決するための手段】
【０００５】
本発明による照明装置は、底面と内側面とを有するボディ、前記ボディの底面上に配置
され、少なくとも３個の反射面を有する多角錐形反射体、及び前記ボディの内側面上に配
置され、少なくとも１つ以上の発光素子を有し、前記反射体の反射面と対応する領域に配
置された光源部、を含む。
【発明の効果】
【０００６】
本発明による照明装置は、放熱性能に優れており、内部及び外部構造が簡単であり、組
み立て及び作業が容易である。また、本発明は、光効率が高く、ワイヤを必要としないこ
とから、小型化が可能である。
【図面の簡単な説明】
【０００７】
【図１】本発明の実施例による照明装置の斜視図である。
【図２】図１に示した照明装置の分解斜視図である。
【図３】図２に示した照明装置におけるボディの分解斜視図及び結合斜視図である。
【図４】図２に示した照明装置における光源部の分解斜視図である。
【図５】図２に示したレンズと反射体との関係を説明するための斜視図である。
【図６】図２に示した反射体の他の実施例を示す斜視図である。
【図７】図２に示した連結基板の上下部斜視図である。
【図８】図２に示した照明装置における連結基板の他の実施例を説明するための分解    斜視図である。
【図９】図２に示した照明装置におけるカバーの斜視図である。
【発明を実施するための形態】
【０００８】
以下、添付された図面を参照しながら実施例について詳しく説明する。
【実施例】
【０００９】
図１は、本発明の実施例による照明装置の斜視図であり、図２は、図１に示した照明装
置の分解斜視図である。
【００１０】
図１及び図２を参照すると、本発明の好ましい実施例による照明装置は、ボディ（Ｂｏ
ｄｙ）１１０、光源部１２０、反射体（Ｒｅｆｌｅｃｔｏｒ）１３０、連結基板１４０、
カバー（Ｃｏｖｅｒ）１５０、光学基板（Ｏｐｔｉｃ  Ｐｌａｔｅ）１６０、及び光学基
板ホルダ（Ｏｐｔｉｃ  Ｐｌａｔｅ  Ｈｏｌｄｅｒ）１７０を含む。以下、図面を参照し
ながら、各構成要素について具体的に説明する。
【００１１】
図３は、図２に示した照明装置におけるボディ１１０の分解斜視図及び結合斜視図であ
る。
【００１２】
ボディ１１０は、少なくとも２つ以上のパートが結合されてなる。例えば、図３に示す
ように、ボディ１１０は、第１ボディ１１０−Ａと第２ボディ１１０−Ｂとが結合してな
る。ボディ１１０が少なくとも２つ以上のパートの結合によってなると、本発明の実施例
による照明装置を組み立てる際、ボディ１１０の収納溝１１５に光源部１２０と反射体１
３０を容易に取り付けることができる。
【００１３】
ボディ１１０は、光源部１２０及び反射体１３０を収納するための収納溝１１５を有す
る。ここで、収納溝１１５は、側面１１１及び底面１１３で定められる。
【００１４】
ボディ１１０の側面１１１には光源部１２０が装着される。さらに具体的に、図２を参
照すると、ボディ１１０の側面１１１は、光源部１２０の基板１２１の一面と面接触する
。ボディ１１０の側面１１１に光源部１２０が装着されると、ボディ１１０は光源部１２
０から熱を容易に受けることができる。
【００１５】
ボディ１１０の底面１１３には、反射体１３０が装着される。
【００１６】
ボディ１１０の側面１１１は、円柱のように所定の曲面を有してもよく、または多角柱
のように曲面がなくてもよい。ボディ１１０の側面１１１が曲面を有する場合には、ボデ
ィ１１０の側面１１１において基板１２１が配置される部分は平坦である。または、ボデ
ィ１１０の側面１１１は、図３に示すように、光源部１２０の基板１２１が挿入できる装
着溝１１７を有し、装着溝１１７の底面は平坦である。ボディ１１０の側面１１１が装着
溝１１７を有すると、ボディ１１０の側面１１１は光源部１２０の基板１２１の側面とも
面接触されるため、ボディ１１０は光源部１２０からの熱をさらに容易に受けることがで
きる。また、光源部１２０の基板１２１がボディ１１０の側面１１１に容易に装着できる
利点がある。
【００１７】
ボディ１１０は、光源部１２０から熱を伝達され、伝達された熱を有しているかまたは
外部に放熱する。よって、ボディ１１０は、熱伝導性を有する金属材質である方がよい。
例えば、ボディ１１０は、アルミニウム（Ａｌ）またはアルミニウム合金である。
【００１８】
ボディ１１０の外観は円筒状であることが好ましいが、これに限定されずに多様な形態
の立体も可能である。例えば、ボディ１１０の外観は、多角筒であってもよい。
【００１９】
ボディ１１０は放熱ピン（図示せず）を有することができる。放熱ピン（図示せず）は
、ボディ１１０の外面で外方に延長される構造であって、複数であってもよい。また、放
熱ピン（図示せず）は、ボディ１１０と独立してボディ１１０に結合できる。放熱ピン（
図示せず）はボディ１１０の外面の表面積を広くして、放熱效果をさらに向上させること
ができる。
【００２０】
図４は、図２に示した照明装置における光源部１２０の分解斜視図である。
【００２１】
図２ないし図４を参照すると、光源部１２０はボディ１１０の側面１１１に装着される
。
【００２２】
光源部１２０は、基板１２１、ＬＥＤ（Ｌｉｇｈｔ  Ｅｍｉｔｔｉｎｇ  Ｄｉｏｄｅ）
１２３、レンズ（Ｌｅｎｓ）１２５、レンズホルダ（Ｌｅｎｓ  Ｈｏｌｄｅｒ）１２７及
びコネクタ１２９を含む。
【００２３】
基板１２１の一面には、少なくとも１つ以上のＬＥＤ１２３、レンズ１２５、レンズホ
ルダ１２７及びコネクタ１２９が装着される。基板１２１の他の一面は、ボディ１１０の
側面１１１と面接触する。
【００２４】
基板１２１には、ＬＥＤ１２３とコネクタ１２９とが電気的に連結されるための印刷さ
れた回路パターンが備えられる。したがって、基板１２１は、ＰＣＢ（Ｐｒｉｎｔｅｄ  
Ｃｉｒｃｕｉｔ  Ｂｒｏａｄ）であってもよい。
【００２５】
基板１２１が平坦で、ボディ１１０の側面１１１が曲面を有する場合、基板１２１はボ
ディ１１０の側面１１１と面接触することは容易でない。したがって、図面に示されては
いないが、基板１２１はボディ１１０の側面１１１の曲面に沿って所定の屈曲を有しても
よい。
【００２６】
ＬＥＤ１２３は光を発光する発光素子であって、基板１２１の一面に少なくとも１つ以
上装着される。ＬＥＤ１２３は水平型（Ｌａｔｅｒａｌ  Ｔｙｐｅ）または垂直型（Ｖｅ
ｒｔｉｃａｌ  Ｔｙｐｅ）である。ＬＥＤ１２３は、青色（Ｂｌｕｅ）、赤色（Ｒｅｄ）
、黄色（Ｙｅｌｌｏｗ）及び緑色（Ｇｒｅｅｎ）の少なくとも１つ以上のＬＥＤである。
ここで、発光素子は、ＬＥＤ１２３に限定されるのではない。ＬＥＤ１２３だけでなく、
ＬＥＤ１２３のように、光を発光する全ての発光素子である。
【００２７】
ＬＥＤ１２３が自然光（白色光）ではない特定色の光を発光する場合、ＬＥＤ１２３は
少なくとも１つ以上の蛍光体を有する蛍光層（図示せず）をさらに含む。すなわち、ＬＥ
Ｄ１２３を取り囲む蛍光層（図示せず）をさらに含む。
【００２８】
特に、ＬＥＤ１２３が青色ＬＥＤの場合、蛍光層（図示せず）に含まれる蛍光体は、ガ
ーネット（Ｇａｒｎｅｔ）系（ＹＡＧ、ＴＡＧ）、ケイ酸塩（Ｓｉｌｉｃａｔｅ）系、ナ
イトライド（Ｎｉｔｒｉｄｅ）系及びオキシナイトライド（Ｏｘｙｎｉｔｒｉｄｅ）系の
少なくとも１つ以上を含む。前記蛍光層（図示せず）に黄色系列の蛍光体が含まれると、
自然光（白色光）を具現することができるが、演色指数の向上及び色温度の低減のために
緑色系列の蛍光体や赤色系列の蛍光体をさらに含むことが好ましい。
【００２９】
前記蛍光層（図示せず）に様々な種類の蛍光体が混合された場合、蛍光体の色による添
加割合は赤色系列の蛍光体よりは緑色系列の蛍光体を、緑色系列の蛍光体よりは黄色系列
の蛍光体をさらに多く使用する方がよい。
【００３０】
黄色系列の蛍光体としては、ガーネット系のＹＡＧ、ケイ酸塩系及びオキシナイトライ
ド系を用い、緑色系列の蛍光体としては、ケイ酸塩系、オキシナイトライド系を用い、赤
色系列の蛍光体は、ナイトライド系を用いる。
【００３１】
蛍光層（図示せず）は、様々な種類の蛍光体が混合されたもののほかにも、赤色系列の
蛍光体を有する層、緑色系列の蛍光体を有する層及び黄色系列の蛍光体を有する層が、そ
れぞれ別々に分けられて構成される。
【００３２】
レンズ１２５は、ＬＥＤ１２３を覆うように基板１２１の一面上に装着される。
【００３３】
レンズ１２５は、ＬＥＤ１２３からの光の指向角を狭める。つまり、ＬＥＤ１２３から
放出される光を集束する。一般的なＬＥＤは、略１２０度程度の指向角を有して光を放出
するが、レンズ１２５は、ＬＥＤ１２３から放出される光が略５〜１５度程度の指向角を
有するように集束する。
【００３４】
レンズ１２５は反射体１３０と関連がある。具体的に、図５を参照しながら説明する。
【００３５】
図５は、図２に示されたレンズ１２５と反射体１３０との関係を説明するための斜視図
である。
【００３６】
図５を参照すると、反射体１３０とレンズ１２５との間に所定の仮想面２００を設定し
、前記仮想面２００に反射面１３１及びレンズ１２５を投映させると、レンズ１２５と反
射体１３０との関係が分かる。
【００３７】
具体的に、仮想面２００に映るレンズ１２５の正射影２１０は、仮想面２００に映る反
射面１３１の正射影２３０に含まれる。また、レンズ１２５が複数の場合、全体レンズ１
２５の正射影２１０も反射面１３１の正射影２３０に含まれる。このように、レンズ１２
５の正射影２１０が反射面１３１の正射影２３０に含まれると、レンズ１２５から放出さ
れる全ての光はレンズ１２５と対向する反射面１３１にほとんど到達される。したがって
、本発明の実施例による照明装置の光効率が向上する。
【００３８】
再度図４を参照すると、レンズ１２５は上述した蛍光層（図示せず）を含むことができ
る。ＬＥＤ１２３が蛍光層（図示せず）を有しない場合だけでなく、ＬＥＤ１２３が蛍光
層（図示せず）を有する場合に、レンズ１２５は蛍光層（図示せず）を含むことができる
。蛍光層（図示せず）に関する具体的な説明は、上述した蛍光層（図示せず）の説明と同
様である。
【００３９】
レンズホルダ１２７は、基板１２１の一面上に装着され、レンズ１２５を取り囲んで固
定し、レンズ１２５が基板１２１に堅く固定されるようにする。
【００４０】
レンズホルダ１２７は、少なくとも２つ以上のレンズ１２５を取り囲むことが好ましい
。レンズホルダ１２７が複数のレンズ１２５を一度に取り囲むと、レンズ１２５を通じて
損失される光の量を減らすことができる。また、ＬＥＤ１２３の間の間隔を減らすことの
できる利点があり、全体照明装置のサイズを減らすことができる。
【００４１】
コネクタ１２９は基板１２１の一側に配置され、基板１２１の外側方向に突出された突
出部１２９−１を有する。前記突出部１２９−１は、基板１２１の外側方向に作用する弾
性を有する。よって、前記突出部１２９−１は、基板１２１の内側方向へ所定の力を受け
ると、基板１２１の内側に挿入される。以下、図２、図４及び図７を参照しながら、コネ
クタ１２９と連結基板１４０との関係を説明する。
【００４２】
図２に示された連結基板１４０がボディ１１０に装着されると、突出部１２９−１は、
図７に示された連結基板１４０のパッド１４１によって押される。つまり、図４に示され
たコネクタ１２９と図７に示されたパッド１４１は、互いに圧着される。したがって、図
４に示されたコネクタ１２９は、図７に示された連結基板１４０のパッド１４１と別途の
ワイヤ（ｗｉｒｅ）なしに電気的に連結できる。別途のワイヤが要らないため、半田付け
等のような手作業は必要としない。また、前記ワイヤによる光効率の劣化を防止すること
ができ、照明装置の内部にワイヤがないことから、内部構成が簡単であるという利点があ
る。
【００４３】
反射体１３０は、図２を参照すると、ボディ１１０の収納溝１１５の底面１１３に装着
されて、ボディ１１０の側面１１１に装着された光源部１２０からの光を所定方向、具体
的に図２における上部方向に反射する。
【００４４】
反射体１３０は多角錐形を有してもよい。具体的に図６を参照する。図６は、図２に示
された反射体１３０の他の実施例を示す斜視図である。
【００４５】
本明細書において多角錐形とは、図２に示された幾何学的に完璧な四角錐または多角錐
だけでなく、図６の上部（ｔｏｐ）に示された第１反射体１３０Ａの反射面１３１Ａが多
角錐の内側に湾曲されたものを含む。また、図６の中間（ｉｎｔｅｒｍｅｄｉａｔｅ）に
示された第２反射体１３０Ｂの反射面１３１Ｂが多角錐の外側に湾曲されたものも含む。
また、図６の下部（ｂｏｔｔｏｍ）に示された第３反射体１３０Ｃの角部分が所定部分除
去された形態を含む。図６の下部に示された第３反射体１３０Ｃの上部は、図２に示され
た反射体１３０の角部分が除去された場合と同一である。ここで、第３反射体１３０Ｃの
上部は、図面に示すように、平面であってもよく、曲面であってもよい。
【００４６】
再度図２を参照すると、反射体１３０は反射面１３１及び非反射面を有する。非反射面
は、ボディ１１０の底面１１３と面接触し、反射面１３１は光源部１２０からの光を所定
方向に反射する。
【００４７】
反射体１３０の反射面１３１は光源部１２０と一対一対応する。すなわち、反射面１３
１の個数と光源部１２０の個数が同一であり、反射面１つ当り光源部１２０一つが対向す
る。
【００４８】
図２において、光源部１２０の個数が４個であるため、これに対応して、反射体１３０
の反射面１３１も４面を有する。したがって、反射体１３０は四角錐形を有する。反射体
１３０が四角錐形の場合、４個の三角面１３１が反射面１３１となり、底の四角面が非反
射面となる。一方、図２では、光源部１２０の個数が４個であり、反射体１３０が四角錐
形であることを示しているが、これに限定しない。光源部１２０の数によって反射体１３
０の形態が変わることがある。例えば、光源部１２０の数が３個であれば、反射体１３０
は三角錐形となる。
【００４９】
反射体１３０は反射率を高めるために、反射面１３１が鏡面であってもよい。
【００５０】
連結基板１４０はボディ１１０に連結される。具体的に、連結基板１４０はボディ１１
０の収納溝１１５を覆うように連結される。図７を参照しながら、具体的に説明する。
【００５１】
図７は、図２に示された連結基板１４０の上下部斜視図である。下部斜視図は上部斜視
図を裏返したものである。
【００５２】
図７を参照すると、連結基板１４０は、反射体１３０から反射された光が貫通する開口
１４５を有する。
【００５３】
連結基板１４０は、図４に示された光源部１２０のコネクタ１２９と電気的に連結され
るパッド１４１を有し、外部から電源提供を受けるためのコネクタ１４３を有する。パッ
ド１４１とコネクタ１４３は、連結基板１４０に印刷された回路パターンによって電気的
に連結される。つまり、連結基板１４０は、光源部１２０の基板１２１のようにＰＣＢで
あってもよい。したがって、コネクタ１４３を通じて入力された電源はパッド１４１へ伝
達され、パッド１４１は光源部１２０のコネクタ１２９と電気的に連結されるため、パッ
ド１４１に伝達された電源は光源部１２０へ伝達できる。
【００５４】
連結基板１４０によって、光源部１２０に電源を伝達するための別途のワイヤは必要と
しない。したがって、組み立てが簡単であり、ワイヤによる照明装置の内部構成の複雑性
を解消することができる。
【００５５】
連結基板１４０の開口１４５の面積は、反射体１３０の非反射面の面積よりも広っても
よい。なぜなら、連結基板１４０の開口１４５が反射体１３０の非反射面よりも小さけれ
ば、反射体１３０から反射された光が連結基板１４０によって反射されて、光効率が劣る
からである。
【００５６】
図８は、図２に示した照明装置における連結基板１４０の他の実施例を説明するための
分解斜視図である。
【００５７】
図８を参照すると、連結基板１４０Ａは、互いに隣接する２つの基板１２１ａ、１２１
ｂを電気的に連結する。ここで、図８では、連結基板１４０Ａが互いに隣接する２つの基
板１２１ａ、１２１ｂを電気的に連結することと示しているが、これに限定されず、互い
に対向する２つの基板、１２１ａと１２１ｃまたは１２１ｂと１２１ｄを連結することが
できる。また、連結基板１４０Ａは３以上の基板を電気的に連結することができる。
【００５８】
連結基板１４０Ａが互いに隣接する２つの基板１２１ａ、１２１ｂを電気的に連結する
場合、連結基板１４０Ａの両端は、第１基板１２１ａのコネクタ１２９ａと第２基板１２
１ｂのコネクタ１２９ｂに、それぞれ連結される。
【００５９】
連結基板１４０Ａは、ボディ１１０の側面１１１に接するように設けられる。この場合
、連結基板１４０Ａは、ボディ１１０との絶縁のために絶縁物質で取り囲まれることが好
ましい。なぜなら、ボディ１１０は主にアルミニウムのような放熱物質から構成されるが
、アルミニウムは電気を通すため、ボディ１１０と連結基板１４０Ａとの電気的短絡を防
止することができるためである。一方、ボディ１１０の側面１１１が絶縁物質でコーティ
ングされた場合には、連結基板１４０Ａが絶縁物質で取り囲まれる必要はない。
【００６０】
ここで、連結基板１４０Ａは容易に曲げられるフレキシブル基板であってもよい。ボデ
ィ１１０の側面１１１が所定の曲面を有するかまたは角を有する場合、連結基板１４０Ａ
が柔軟性を有すると、ボディ１１０の側面１１１に面接触することが容易である。
【００６１】
連結基板１４０Ａを用いると、組み立てが簡単で、別途のワイヤを用いる半田付け作業
が不要となる。また、照明装置の内部をシンプルに構成することができ、照明装置のサイ
ズを小さくすることもできる。
【００６２】
図９は、図２に示した照明装置におけるカバー１５０の斜視図である。
【００６３】
図２、図４及び図９を参照すると、カバー１５０は、光源部１２０のレンズ１２５を収
容するための結合溝１５３−１を有し、反射体１３０を取り囲んでボディ１３０の収納溝
１１５に挿入される支持部１５３を有する。以下で、具体的な例について説明する。
【００６４】
カバー１５０は、蓋部１５１、支持部１５３、開口１５５及び締結孔１５７を有する。
【００６５】
蓋部１５１は、収納溝１１５があるボディ１１０の一面を覆う。
【００６６】
蓋部１５１は、支持部１５３の一端でボディ１１０の収納溝１１５の深み方向と垂直す
る方向に延長される。よって、蓋部１５１とボディ１１０が本発明の一実施例による照明
装置の外観を形成することができる。
【００６７】
支持部１５３はボディ１１０の収納溝１１５に挿入されて、ボディ１１０の底面１１３
と接触し、カバー１５０全体を支持する。したがって、支持部１５３の長さは、ボディ１
１０の収納溝１１５の深みに対応されることが良い。
【００６８】
支持部１５３は、ボディ１１０に装着された反射体１３０を取り囲む。したがって、支
持部１５３は、反射体１３０から反射された光が外に出るように導く光の移動経路として
用いられる。支持部１５３は、反射体１３０から反射された光がボディ１１０の内部で消
失されることを防止することができる。よって、照明装置の光効率を高めることができる
。ここで、支持部１５３の内面１５３−３は、光効率をさらに極大化するために光反射物
質でコーティングしてもよい。
【００６９】
支持部１５３は、光源部１２０のレンズ１２５との結合時、光源部１２０のレンズ１２
５を収容する結合溝１５３−１を有する。そして、支持部１５３の内面１５３−３は、レ
ンズ１２５の光放出面（表面）と同一平面上に位置することができる。支持部１５３の結
合溝１５３−１に光源部１２０のレンズ１２５が挿入されると、支持部１５３の内面１５
３−３と光源部１２０のレンズ１２５の光放出面とが、反射体１３０から反射された光の
移動通路を形成する。したがって、反射体１３０から反射された光は、ボディ１１０内部
で消失されることなく、支持部１５３の内面１５３−３に全部反射されて、カバー１５０
の開口１５５を通じて外部に放出される。
【００７０】
締結孔１５７は光学基板ホルダ１７０の締結部１７３を収容し、収容された締結部１７
３を固定させる。締結孔１５７によって、光学基板ホルダ１７０は光学基板１６０をカバ
ー１５０に固定させる。
【００７１】
再度図２を参照すると、光学基板１６０は、カバー１５０の開口１５５を覆い、カバー
１５０の蓋部１５１に取り付けられる。光学基板１６０は、カバー１５０の開口１５５を
通じて出射される光に光学的変換を行うことができる。例えば、光学基板１６０は、カバ
ー１５０の開口１５５を通じて出射される光を拡散することができる。または、光学基板
１６０は蛍光層（図示せず）を含むことができる。ここで、蛍光層に関する説明は、上述
した蛍光層の説明と同様である。つまり、光学基板１６０は、拡散機能及び蛍光層を全て
備えることができる。
【００７２】
光学基板ホルダ１７０はカバー１５０に締結されて光学基板１６０を固定させる。光学
基板ホルダ１７０は、蓋部１７１、締結部１７３及び開口１７５を有する。
【００７３】
蓋部１７１は、光学基板１６０を覆い、カバー１５０の開口１５５を貫通した光が貫通
するための開口１７５を有する。
【００７４】
締結部１７３は蓋部１７１で外部方向に延長される。このような締結部１７３は、カバ
ー１５０の締結孔１５７に挿入されて挟まれる。
【００７５】
以上で、実施例を中心として説明したが、これは、単なる例示であるだけであって、本
発明を限定することではなく、本発明の属する分野における通常の知識を有する者であれ
ば、本実施例の本質的な特性から外れない範囲で、以上に例示されていない様々な変形及
び応用が可能なことが分かるだろう。例えば、実施例において具体的に示した各構成要素
は変形して実施することができるものである。そして、このような変形と応用に係る相違
点は、添付の特許請求の範囲で規定する本発明の範囲に含まれるものと解釈しければなら
ない。
【符号の説明】
【００７６】
１１０      ボディ
１２０      光源部
１３０      反射体
１４０      連結基板
１５０      カバー
１６０      光学基板
１７０      光学基板ホルダ
【図１】
2014222680.tif 000003
【図２】
2014222680.tif 000004
【図３】
2014222680.tif 000005
【図４】
2014222680.tif 000006
【図５】
2014222680.tif 000007
【図６】
2014222680.tif 000008
【図７】
2014222680.tif 000009
【図８】
2014222680.tif 000010
【図９】
2014222680.tif 000011